(57)【要約】【課題】使用者に適度なクリック感を付与できながらも、異音を生じることを防止できる押圧スイッチ及び当該押圧スイッチを備えた電子機器を提供する。【解決手段】ＡＶ機器２は機器本体３と押圧スイッチ１を備えている。押圧スイッチ１は機器本体３の前面３ａに回転自在に設けられた押圧部材１５と押圧部材１５の両端部が重なる一対のスイッチ１６と押圧部材１５の両端部とスイッチ１６との間に設けられた中間部材１８とを備えている。スイッチ１６は一対の接点２９ａ，２９ｂと一対の接点２９ａ，２９ｂに重なる位置に導体膜３３ａを設けかつ中間部材１６が重ねられる導電部３３と導体膜３３ａが一対の接点２９ａ，２９ｂから間隔をあける位置に導電部３３を支持する筒部３２と導電部３３の中間部材１８が重なる面３３ｂから凸に形成されかつ中間部材１８を押圧部材１５の両端部に向かって付勢する弾性変形突起３４とを備えている。【選択図】図２
2010092657.tif 000002
【特許請求の範囲】
【請求項１】
機器本体の前面に長手方向の中央を中心として回転自在に設けられて長手方向の両端部が押圧操作される押圧部材と、
前記機器本体内の前記押圧部材の両端部が重なる位置に設けられた一対のスイッチと、
前記押圧部材の両端部と前記スイッチとの間に設けられかつ前記機器本体の前面に対して直交する方向に沿ってスライド自在に設けられた中間部材と、を備えて、前記押圧部材のいずれかの端部が押圧されると前記一対のスイッチのいずれかの接点が閉じる押圧スイッチにおいて、
前記スイッチが、互いに間隔をあけて設けられた一対の接点と、前記一対の接点と重なる位置に導電性の接触部を設けかつ前記中間部材が重ねられる被押圧部と、弾性変形自在でかつ前記接触部が前記一対の接点から間隔をあける位置に前記被押圧部を支持する弾性変形部と、弾性変形自在でかつ前記被押圧部の前記中間部材が重なる面から凸に形成されかつ前記中間部材を前記押圧部材の両端部に向かって付勢する弾性変形突起と、を備えたことを特徴とする押圧スイッチ。
【請求項２】
前記被押圧部の前記面には、当該面から凹の凹みが設けられ、かつ、前記弾性変形突起が、前記凹みの底面から凸に設けられていることを特徴とする請求項１記載の押圧スイッチ。
【請求項３】
前記弾性変形突起の弾性係数が、前記弾性変形部の弾性係数よりも小さく形成されていることを特徴とする請求項１又は請求項２記載の押圧スイッチ。
【請求項４】
機器本体と、
前記機器本体に設けられて押圧操作される押圧部材を有した押圧スイッチと、を備えた電子機器において、
前記押圧スイッチとして、請求項１乃至請求項３のうちいずれか一項に記載の押圧スイッチを備えたことを特徴とする電子機器。
【発明の詳細な説明】
【技術分野】
【０００１】
本発明は、例えば、オーディオ装置などの電子機器に設けられて押圧操作される押圧スイッチ及び当該押圧スイッチを備えた電子機器に関する。
【背景技術】
【０００２】
例えば、移動体としての自動車のインストルメントパネル（以下インパネと呼ぶ）には、例えば、Compact Disc（以下ＣＤと呼ぶ）プレーヤ、ＭＤ（Mini disc）プレーヤやＡＭ／ＦＭチューナなどを備えたカーオーディオ装置が搭載される。この種のカーオーディオ装置は、扁平な箱状に形成されかつ前述したプレーヤやチューナを収容する機器本体と、この機器本体の前面に設けられた操作部とを備えている。
【０００３】
操作部は、前述したプレーヤやチューナを動作させるためや動作状況を変更するために用いられる。操作部は、押圧スイッチを複数備えている。特許文献１に示された押圧スイッチは、機器本体の前面に設けられて長手方向の中央を中心として回転自在に設けられて長手方向の両端部が押圧操作される押圧部材と、前記押圧部材の長手方向の両端部が重ねられるとともに印刷配線板に実装されたスイッチとを備えている。
【０００４】
スイッチは、印刷配線板上に形成された一対の接点と、前記接点と相対する導電部と、ゴムなどの弾性体で構成されかつ前記導電部が取り付けられているとともに前記導電部を前記一対の接点から間隔をあけた状態に保つゴム部材と、を備えている。ゴム部材は、円筒状に形成され印刷配線板から立設した筒部と、前記筒部の先端に取り付けられて前記導電部が設けられた円板状の板部とを一体に備えている。
【０００５】
前記スイッチは、ゴム部材の弾性復元力に抗して、円板状の板部が前記一対の接点に向かって押圧されて、導電部が一対の接点の双方に重なって、当該一対の接点同士を電気的に接続する。そして、スイッチは、円板状の板部が押圧されなくなると、前記筒部の弾性復元力により、導電部が一対の接点から離れてこれら一対の接点を互いに電気的に絶縁する。こうして、スイッチは、オンオフされる。
【０００６】
前述した押圧スイッチは、押圧部材の長手方向のいずれかの端部が押圧されると、押圧部材がその中央を中心として回転して、押圧された端部がスイッチの円板状の板部を押圧して、当該スイッチをオンする。また、押圧スイッチは、押圧部材の長手方向のいずれもの端部も押圧されないと、ゴム部材の弾性復元力により、いずれのスイッチの導電部も一対の接点から離れて、一対のスイッチの双方をオフにする。
【０００７】
前述した従来の押圧スイッチでは、押圧部材が、その中央を中心として回転して、その端部がスイッチの押圧することで、当該スイッチをオンオフする。スイッチは、前述した円筒状の筒部を有したゴム部材を備えているため、円筒状の筒部の中心軸方向に沿って当該筒部の全周がつぶれるように弾性変形するときには適度なクリック感を奏する。
【０００８】
しかしながら、前述した従来の押圧スイッチは、押圧部材が前述したように回転してスイッチを端部で押圧するために、当該端部が押圧部材の長手方向の中央に向かって（斜め方向に）スイッチの円筒状の板部を押圧することとなる。このため、筒部の全周が均一につぶれることなく偏った弾性変形をした状態で、導電部が一対の接点に重なってスイッチをオンにしてしまう。このように、従来の押圧スイッチでは、スイッチの筒部が偏った弾性変形してオンされてしまうために、適度なクリック感を使用者に付与することがなく、操作上望ましくない。即ち、使用者が、スイッチをオンしたことを認識しにくい状態のまま、当該スイッチがオンされてしまうことがあった。
【０００９】
この種の問題を解決するために、特許文献１及び特許文献２に示された押圧スイッチでは、前述した押圧部材の両端部とスイッチとの間に前記前面に対して直交する方向に沿ってスライド自在に設けられた中間部材を設けて、この中間部材により常に前記前面に対して直交する方向に沿って板部を押圧するようにして、常に一定のクリック感を使用者に付与している。
【特許文献１】特開２００５−３１０４１３号公報
【特許文献２】特開２００８−１６２８５号公報
【発明の開示】
【発明が解決しようとする課題】
【００１０】
前述した特許文献１及び特許文献２に示された押圧スイッチでは、押圧部材がその中央を中心として回転して、その一方の端部が中間部材を介してスイッチを押圧した際に、他方の端部が中間部材と間隔をあけてしまう。このために、前述した一方の端部の押圧を止めて押圧部材が中立位置に復帰した際や、一方の端部を押圧した後に他方の端部を押圧した際に、当該他方の端部が中間部材に勢い良く衝突して、使用者に不快な異音を生じることがあった。
【００１１】
上記した問題点を鑑みてなされた本発明の目的の一例は、使用者に適度なクリック感を付与できながらも、異音を生じることを防止できる押圧スイッチ及び当該押圧スイッチを備えた電子機器を提供することにある。
【課題を解決するための手段】
【００１２】
前記課題を解決し目的を達成するために、請求項１に記載の本発明の押圧スイッチは、機器本体の前面に長手方向の中央を中心として回転自在に設けられて長手方向の両端部が押圧操作される押圧部材と、前記機器本体内の前記押圧部材の両端部が重なる位置に設けられた一対のスイッチと、前記押圧部材の両端部と前記スイッチとの間に設けられかつ前記機器本体の前面に対して直交する方向に沿ってスライド自在に設けられた中間部材と、を備えて、前記押圧部材のいずれかの端部が押圧されると前記一対のスイッチのいずれかの接点が閉じる押圧スイッチにおいて、前記スイッチが、互いに間隔をあけて設けられた一対の接点と、前記一対の接点と重なる位置に導電性の接触部を設けかつ前記中間部材が重ねられる被押圧部と、弾性変形自在でかつ前記接触部が前記一対の接点から間隔をあける位置に前記被押圧部を支持する弾性変形部と、弾性変形自在でかつ前記被押圧部の前記中間部材が重なる面から凸に形成されかつ前記中間部材を前記押圧部材の両端部に向かって付勢する弾性変形突起と、を備えたことを特徴としている。
【発明を実施するための最良の形態】
【００１３】
この発明の押圧スイッチは、接点と相対する接触部を設けかつ中間部材を介して押圧部材の端部により接点に向かって押圧される被押圧部に、当該被押圧部の中間部材が重なる面から凸の弾性変形突起を設けている。こうすることで、押圧部材の一方の端部が押圧されて、他方の端部が中間部材から離れようとしても、弾性変形突起が中間部材を当該他方の端部に向かって押圧して、この他方の端部に中間部材が接触した状態に保たれる。このため、前述した一方の端部の押圧を止めて押圧部材が中立位置に復帰した際や、一方の端部を押圧した後に他方の端部を押圧した際に、当該他方の端部が中間部材に勢い良く衝突することがなく、使用者に不快な異音を生じることがない。よって、使用者に適度なクリック感を付与できながらも、異音を生じることを防止することができる。
【００１４】
また、この発明の押圧スイッチは、被押圧部の弾性変形突起が設けられた面に凹みが設けられて、この凹みの底面から凸に弾性変形突起を設けても良い。この場合、押圧部材の一方の端部が押圧されて、中間部材を介して当該一方の端部により、弾性変形突起が潰されても、この潰された弾性変形突起が凹み内に留まるので、この弾性変形突起の弾性復元力などにより、押圧部材の一方の端部を押圧するときのクリック感（反発力など）が、弾性変形突起が設けられていない従来の物と同等になる。よって、使用者などに違和感を与えることを防止することができる。
【００１５】
さらに、この発明の押圧スイッチは、弾性変形突起の弾性係数を弾性変形部の弾性係数よりも小さくしても良い。この場合、押圧部材の両端部が押圧されていない状態では、弾性変形部が弾性変形することなく弾性変形突起を弾性変形させて潰しておくことができ、押圧部材の一方の端部が押圧されて他方の端部が中間部材から離れようとすると、つぶれていた弾性変形突起の弾性復元力により中間部材を他方の端部に向かって押圧することができる。よって、スイッチのオンオフの切換を確実に行わせることを可能としながらも、使用者に違和感を与えることがない押圧スイッチを提供することができる。
【００１６】
また、この発明は、前述した押圧スイッチを備えた電子機器としても良い。この場合、使用者に適度なクリック感を付与できながらも、押圧スイッチを操作する際に異音を生じることを防止することができる。
【実施例】
【００１７】
以下、本発明の一実施例にかかる押圧スイッチを、図１乃至図３を参照して説明する。押圧スイッチ１は、例えば、図１に示す電子機器としてのＡＶ機器２に用いられる。ＡＶ機器２は、例えば、移動体としての自動車のインストルメントパネル（以下インパネと呼ぶ）に装着される。なお、以下、後述する前面３ａに対して直交する方向を奥行き方向Ｙといい、奥行き方向Ｙに対して直交しかつ前面３ａと後述する機器本体３に出し入れされるＣＤやＭＤの表面との双方と平行な方向を幅方向Ｘといい、これら奥行き方向Ｙと幅方向Ｘとの双方と直交する方向を厚み方向Ｚという。
【００１８】
ＡＶ機器２は、図１に示すように、機器本体３と、再生装置としてのＣＤ（Compact Disk）プレーヤ４と、再生装置としてのＭＤ（Mini disc）プレーヤ５と、ラジオ放送を受信するＡＭ／ＦＭチューナ６と、表示部７と、操作部８とを備えている。
【００１９】
機器本体３は、箱状に形成されかつ前述したインパネに取り付けられる。機器本体３の図１中手前側に位置する一つの前面３ａ（以下、前面と呼ぶ）には、ＣＤ用挿入口９と、ＭＤ用挿入口１０と、操作部用孔１１（図２に示す）とが開口している。なお、前面３ａは、機器本体３がインパネに取り付けられると、外部に露出するとともに乗員（使用者ともいう）に相対する面である。ＣＤ用挿入口９は、内側にＣＤを通して、該ＣＤを機器本体３即ちＣＤプレーヤ４に出し入れする。ＭＤ用挿入口１０は、内側にＭＤを通して、該ＭＤを機器本体３即ちＭＤプレーヤ５に出し入れする。操作部用孔１１は、前記前面３ａを貫通している。操作部用孔１１は、その平面形状が矩形状に形成され、かつ操作部８の押圧スイッチ１の押圧部材１５を収容する。なお、ＣＤ用挿入口９、ＭＤ用挿入口１０及び操作部用孔１１の長手方向は、幅方向Ｘと平行に配置されている。
【００２０】
ＣＤプレーヤ４は、機器本体３に挿入されたＣＤの情報を読み出して、音声として出力する。ＭＤプレーヤ５は、機器本体３に挿入されたＭＤの情報を読み出して、音声として出力する。ＡＭ／ＦＭチューナ６は、ラジオ放送を受信して、音声として出力する。これらのプレーヤ４，４及びチューナ６は、操作部８に設けられた後述する押圧スイッチ１等を使用者が押圧することによって動作する。
【００２１】
表示部７は、前述した前面３ａに取り付けられた蛍光表示管などからなる情報を表示する表示パネル１２を備えている。表示部７は、表示パネル１２に再生中のＣＤやＭＤのプログラムやチューナ６が受信中の放送局名などの情報を表示する。
【００２２】
操作部８は、一つの複合スイッチ１３と、複数の押圧スイッチ１とを備えている。複合スイッチ１３は、前記前面３ａに対し直交する方向に沿って移動自在に設けられ、かつ前面３ａに対し直交する軸芯回り回転自在に支持された操作ノブ１４などを備えている。操作ノブ１４は、前面３ａから突出する方向に付勢されているとともに、前記前面３ａなどに係止して該前面３ａから脱落することが規制されている。
【００２３】
複合スイッチ１３は、操作ノブ１４が押圧されることで、ＡＶ機器２全体の電源をオン・オフし、操作ノブ１４が軸芯回りに回転されることで、再生中又は受信中のプログラムの音量を調整するために用いられる。
【００２４】
押圧スイッチ１は、図示例では、四つ設けられ、ＭＤ用挿入口１０の下方に幅方向Ｘに沿って直線上に配置されている。
【００２５】
押圧スイッチ１は、図２及び図３に示すように、ＡＶ機器２の機器本体３の前面３ａを貫通した平面形が矩形状の操作部用孔１１内に収容されて設けられるとともに使用者などに押圧操作される押圧部材１５と、一対のスイッチ１６と、スライド支持部材１７と、一対の中間部材１８と、を備えている。
【００２６】
押圧部材１５は、表面が機器本体３の前面３ａと平行な平行壁１９と、この平行壁１９の外縁から立設した複数の周壁２０とを備えている。平行壁１９は、平面形状が操作部用孔１１の平面形状と略等しい矩形状に形成されている。平行壁１９の長手方向は、機器本体３の幅方向Ｘに沿っている。平行壁１９の表面には、押圧スイッチ１の機能などを示す印が形成されている。周壁２０は、平行壁１９の外縁から機器本体３の内側に向かって立設している。
【００２７】
また、押圧部材１５の長手方向の両端部には、それぞれ、突出片２１と、支点凸部２２とが設けられている。突出片２１は、周壁２０のうち押圧部材１５の長手方向即ち機器本体３の幅方向Ｘに沿って互いに相対する周壁２０の平行壁１９から離れた側の縁から当該押圧部材１５の長手方向即ち機器本体３の幅方向Ｘに沿って、押圧部材１５の外側に突出している。突出片２１は、勿論、平板状に形成されている。
【００２８】
支点凸部２２は、突出片２１の前面３ａから離れた側の表面から凸に形成されている。即ち支点凸部２２は、突出片２１から機器本体３の奥即ち後述するスイッチ１６に向かって凸に形成されている。また、支点凸部２２は、押圧部材１５の幅方向即ち機器本体３の厚み方向Ｚに沿って直線状に延在している。支点凸部２２は、その断面形状が押圧部材１５の幅方向の全長に亘って同形状の円弧状に形成されている。
【００２９】
また、前述した押圧部材１５は、押圧部材１５の幅方向即ち機器本体３の厚み方向Ｚに沿って相対する周壁２０の外表面から凸の円柱突起２３と、操作部用孔１１の内縁から立設した支持壁２５に設けられかつ円柱突起２３と係合する受け孔により、長手方向の中央を中心として回転自在に支持されている。押圧部材１５の回転中心は、厚み方向Ｚと平行である。
【００３０】
一対のスイッチ１６は、機器本体３内に設けられ、かつ、操作部用孔１１内に収容された押圧部材１５の突出片２１に設けられた支点凸部２２即ち当該押圧部材１５の両端部と奥行き方向Ｙ（前面３ａに対して直交する方向）に沿って重なる位置に設けられている。一対のスイッチ１６は、それぞれ、機器本体３内に収容された印刷配線板２４の一対の接点２９ａ，２９ｂと、当該印刷配線板２４上に重ねられたゴム板２６の接点部２７とを備えている。
【００３１】
印刷配線板２４は、前面３ａと間隔をあけて平行となる位置に設けられている。印刷配線板２４は、図２及び図３に示すように、絶縁性の基板２８と、この基板２８の表面に形成された導電性の導体パターン２９とを備えている。前述した接点２９ａ，２９ｂは、導体パターン２９の一部である。これら一対の接点２９ａ，２９ｂは、互いに間隔をあけて即ち互いに電気的に絶縁されて基板２８上に設けられている。
【００３２】
ゴム板２６は、絶縁性と弾性との双方を有する合成樹脂で構成されている。ゴム板２６は、図２及び図３に示すように、印刷配線板２４の基板２８の導体パターン２９が設けられた側の表面に重ねられている。ゴム板２６は、平板部３０と、前述した接点部２７とを一体に備えている。平板部３０は、平板状に形成され、印刷配線板２４の基板２８の表面に重ねられて、該印刷配線板２４と密に接触する。
【００３３】
接点部２７は、平板部３０が印刷配線板２４に重ねられた際に、接点２９ａ，２９ｂと重なる位置に配置されている。接点部２７は、図２及び図３に示すように、平板部３０を貫通して設けられて接点２９ａ，２９ｂを露出させる穴３１と、穴３１の周りから立設しかつ平板部３０から離れるのにしたがって徐々に小径に形成された弾性変形自在な弾性変形部としての筒部３２と、前記筒部３２の平板部３０から離れた側の縁を塞いで平板部３０と平行に設けられた被押圧部としての導電部３３と、弾性変形突起３４とを備えている。
【００３４】
即ち、接点部２７は、平板部３０よりも押圧部材１５即ち前面３ａに向かって突出しているとともに、接点２９ａ，２９ｂとの間に空間を設けている。
【００３５】
導電部３３は、厚手の円板状に形成されかつ前記押圧部材１５の両端部に設けられた支点凸部２２及び中間部材１８と奥行き方向Ｙ（即ち、前面３ａに対して直交する方向）に沿って重なる位置に配置されている。導電部３３は、一対の接点２９ａ，２９ｂに相対する表面に導電性の接触部としての導体膜３３ａが設けられている。また、導電部３３は、主に筒部３２が弾性変形していない中立状態において、一対の接点２９ａ，２９ｂと間隔をあけているとともに、中間部材１８が重ねられている。即ち、筒部３２は、導体膜３３ａが一対の接点２９ａ，２９ｂから間隔をあける位置に導電部３３を支持している。
【００３６】
さらに、導電部３３の中間部材１８が重なる面３３ｂには、凹み３５が設けられている。凹み３５は、平面形状が円形に形成され、かつ、勿論、前述した面３３ｂから凹に形成されかつ当該面３３ｂ即ち導電部３３と同軸に配置されている。
【００３７】
接点部２７即ちスイッチ１６は、押圧部材１５の突出片２１即ち端部によって押圧されたことで、導電部３３に設けられた導体膜３３ａが接点２９ａ，２９ｂの双方に密に重なって、これらの接点２９ａ，２９ｂ同士を導通させる。この接点２９ａ，２９ｂ同士が導通することを、本発明では、接点２９ａ，２９ｂが閉じるという。
【００３８】
弾性変形突起３４は、凹み３５の底面の中心から凸に設けられている。即ち、弾性変形突起３４は、前述した面３３ｂから凸に設けられている。弾性変形突起３４は、ゴム板２６の一部であるので、勿論、凹み３５の底面即ち前述した面３３ｂからの突出量が変更自在となるように、弾性変形自在となっている。また、弾性変形突起３４の弾性係数は、筒部３２の弾性係数よりも十分に小さく形成されている。
【００３９】
弾性変形突起３４は、前述した筒部３２が弾性変形していない中立状態であると、面３３ｂ上の中間部材１８により凹み３５の底面に向かって押しつぶされて、前述した面３３ｂと略面一となる。このとき、弾性変形突起３４は、勿論、その弾性復元力により、奥行き方向Ｙに沿って重なる中間部材１８を押圧部材１５の端部に向かって付勢する。
【００４０】
また、弾性変形突起３４は、押圧部材１５が回転して、奥行き方向Ｙに沿って当該弾性変形突起３４に重なる押圧部材１５の端部が前面３ａから突出すると、その弾性復元力により当該端部がスイッチ１６から離れるのにしたがって凹み３５の底面から徐々に突出する。そして、弾性変形突起３４は、図３に示すように、奥行き方向Ｙに沿って当該弾性変形突起３４に重なる押圧部材１５の端部が前面３ａから完全に突出すると、弾性変形していない中立状態又は殆ど弾性変形していない状態となる。中立状態又は殆ど弾性変形していない状態では、弾性変形突起３４は、円錐状をなす。
【００４１】
スライド支持部材１７は、平板状に形成され、前記前面３ａと印刷配線板２４上のゴム板２６との間に配置されている。スライド支持部材１７は、勿論、前面３ａと印刷配線板２４との双方と平行に配置されている。また、スライド支持部材１７は、奥行き方向Ｙに沿って、押圧部材１５の支点凸部２２即ち両端部と、スイッチ１６との双方と重なる位置に、スライド支持筒３６を設けている。スライド支持筒３６は、円筒状に形成され、かつ、勿論、スライド支持部材１７の表面から立設しているとともに、スライド支持部材１７を貫通している。
【００４２】
中間部材１８は、円柱状に形成され、かつ、前述したスライド支持部材１７のスライド支持筒３６内に挿入されて、前述した奥行き方向Ｙ即ち前面３ａと印刷配線板２４の双方に対して直交する方向に沿ってスライド自在にスライド支持部材１７に支持されている。中間部材１８は、スライド支持筒３６内に挿入されて、押圧部材１５の支点凸部２２即ち端部とスイッチ１６との間に配置されている。
【００４３】
前述した構成の押圧スイッチ１は、図２に示すように、平行壁１９が前面３ａと平行に操作部用孔１１外から露出した状態で、押圧部材１５が機器本体３に取り付けられる。このとき、支点凸部２２即ち押圧部材１５の両端部と中間部材１８とスイッチ１６の導電部３３とが順に重ねられている。そして、弾性係数が前述したように形成されているので、スイッチ１６の接点部２７の筒部３２が弾性変形していない中立状態に位置付けられて、一対のスイッチ１６双方の導電部３３が接点２９ａ，２９ｂから間隔をあけているとともに、弾性変形突起３４が凹み３５の底面に向かって押しつぶされて中間部材１８を支点凸部２２即ち押圧部材１５の両端部に向かって付勢している。こうして、筒部３２及び弾性変形突起３４の弾性復元力により、押圧スイッチ１は、図２に示すように、一対のスイッチ１６の双方の接点２９ａ，２９ｂが閉じていない中立位置に保たれる。
【００４４】
そして、押圧スイッチ１は、例えば、押圧部材１５の長手方向の図２中右側の一方の端部が押圧されると、当該押圧部材１５が円柱突起２３即ちその長手方向の中央を中心として回転して、押圧部材１５の図２中左側の他方の端部が前面３ａから突出する。すると、図３に示すように、押圧部材１５の一方の端部に位置する支点凸部２２がスイッチ１６に近づいて、中間部材１８を押圧して、この中間部材１８が更にスイッチ１６の導電部３３を押圧して、当該スイッチ１６の接点２９ａ，２９ｂが閉じる。さらに、押圧部材１５の他方の端部に位置する支点凸部２２がスイッチ１６から離れる。すると、支点凸部２２がスイッチ１６から離れるのにしたがって、弾性変形突起３４が中間部材１８を押圧して徐々に導電部３３の前述した面３３ｂから突出する。そして、図３に示すように、押圧部材１５の一方の端部に重なるスイッチ１６の接点２９ａ，２９ｂが閉じると、他方の端部側の弾性変形突起３４が弾性変形していない中立状態又は殆ど弾性変形していない状態となって、弾性変形突起３４と中間部材１８と押圧部材１５の他方の端部に設けられた支点凸部２２とが順に接触した状態で重ねられた状態となる。こうして、押圧スイッチ１は、押圧部材１５のいずれかの端部が押圧されると、一対のスイッチ１６のうちいずれかの接点２９ａ，２９ｂが閉じる。
【００４５】
こうして、前述した構成の押圧スイッチ１は、一対のスイッチ１６のうちのいずれか一方の接点２９ａ，２９ｂを閉じることで、前述したＣＤプレーヤ、ＭＤプレーヤやＡＭ／ＦＭチューナなどを操作するための各種の信号を接点から出力する。
【００４６】
本実施例によれば、接点２９ａ，２９ｂと相対する導体膜３３ａを設けかつ中間部材１８を介して押圧部材１５の端部により接点２９ａ，２９ｂに向かって押圧される導電部３３に、当該導電部３３の中間部材１８が重なる面３３ｂから凸の弾性変形突起３４を設けている。このため、押圧部材１５の一方の端部が押圧されて、他方の端部が中間部材１８から離れようとしても、弾性変形突起３４が中間部材１８を当該他方の端部に向かって押圧して、この他方の端部に中間部材１８が接触した状態に保つことができる。したがって、前述した一方の端部の押圧を止めて押圧部材１５が中立位置に復帰した際や、一方の端部を押圧した後に他方の端部を押圧した際に、弾性変形突起３４が中間部材を当該他方の端部に向かって付勢しているので、当該他方の端部が中間部材１８に勢い良く衝突することがなく、使用者に不快な異音を生じることがない。よって、使用者に適度なクリック感を付与できながらも、異音を生じることを防止することができる。
【００４７】
また、押圧スイッチ１は、導電部３３の弾性変形突起３４が設けられた面３３ｂに凹み３５が設けられて、この凹み３５の底面から凸に弾性変形突起３４を設けている。このため、押圧部材１５の一方の端部が押圧されて、中間部材１８を介して当該一方の端部により、弾性変形突起３４が潰されても、この潰された弾性変形突起３４が凹み３５内に留まって前述した面３３ｂから突出しないので、この弾性変形突起３４の弾性復元力などにより、押圧部材１５の一方の端部を押圧するときのクリック感（反発力など）が、弾性変形突起３４が設けられていない従来の物と同等になる。よって、使用者などに違和感を与えることを防止することができる。
【００４８】
さらに、押圧スイッチ１は、弾性変形突起３４の弾性係数を筒部３２の弾性係数よりも小さくしている。このため、押圧部材１５の両端部が押圧されていない状態では、筒部３２が弾性変形することなく弾性変形突起３４を弾性変形させて潰しておくことができ、押圧部材１５の一方の端部が押圧されて他方の端部が中間部材１８から離れようとすると、つぶれていた弾性変形突起３４の弾性復元力により中間部材１８を他方の端部に向かって押圧することができる。よって、スイッチ１６のオンオフの切換を確実に行わせることを可能としながらも、使用者に違和感を与えることない押圧スイッチ１を提供することができる。
【００４９】
また、ＡＶ機器２は、前述した押圧スイッチ１を備えているので、使用者に適度なクリック感を付与できながらも、押圧スイッチ１を操作する際に異音を生じることを防止することができる。
【００５０】
なお、前述した実施例は本発明の代表的な形態を示したに過ぎず、本発明は、実施例に限定されるものではない。即ち、本発明の骨子を逸脱しない範囲で種々変形して実施することができる。
【００５１】
前述した実施例によれば、以下の押圧スイッチ１が得られる。
【００５２】
（付記）  機器本体３の前面３ａに長手方向の中央を中心として回転自在に設けられて長手方向の両端部が押圧操作される押圧部材１５と、
前記機器本体３内の前記押圧部材１５の両端部が重なる位置に設けられた一対のスイッチ１６と、
前記押圧部材１５の両端部と前記スイッチ１６との間に設けられかつ前記機器本体３の前面３ａに対して直交する方向に沿ってスライド自在に設けられた中間部材１８と、を備えて、前記押圧部材１５のいずれかの端部が押圧されると前記一対のスイッチ１６のいずれかの接点２９ａ，２９ｂが閉じる押圧スイッチ１において、
前記スイッチ１６が、互いに間隔をあけて設けられた一対の接点２９ａ，２９ｂと、前記一対の接点２９ａ，２９ｂと重なる位置に導電性の導体膜３３ａを設けかつ前記中間部材１８が重ねられる導電部３３と、弾性変形自在でかつ前記導体膜３３ａが前記一対の接点２９ａ，２９ｂから間隔をあける位置に前記導電部３３を支持する筒部３２と、弾性変形自在でかつ前記導電部３３の前記中間部材１８が重なる面３３ｂから凸に形成されかつ前記中間部材１８を前記押圧部材１５の両端部に向かって付勢する弾性変形突起３４と、を備えたことを特徴とする押圧スイッチ１。
【００５３】
付記に記載の押圧スイッチ１によれば、接点２９ａ，２９ｂと相対する導体膜３３ａを設けかつ中間部材１８を介して押圧部材１５の端部により接点２９ａ，２９ｂに向かって押圧される導電部３３に、当該導電部３３の中間部材１８が重なる面３３ｂから凸の弾性変形突起３４を設けている。このため、押圧部材１５の一方の端部が押圧されて、他方の端部が中間部材１８から離れようとしても、弾性変形突起３４が中間部材１８を当該他方の端部に向かって押圧して、この他方の端部に中間部材１８が接触した状態に保つことができる。したがって、前述した一方の端部の押圧を止めて押圧部材１５が中立位置に復帰した際や、一方の端部を押圧した後に他方の端部を押圧した際に、弾性変形突起３４が中間部材を当該他方の端部に向かって付勢しているので、当該他方の端部が中間部材１８に勢い良く衝突することがなく、使用者に不快な異音を生じることがない。よって、使用者に適度なクリック感を付与できながらも、異音を生じることを防止することができる。
【図面の簡単な説明】
【００５４】
【図１】本発明の一実施例にかかる押圧スイッチを備えたカーオーディオの外観を示す斜視図である。
【図２】図１中のＩＩ−ＩＩ線に沿う断面図である。
【図３】図２に示された押圧スイッチの押圧部材の一方の端部が押圧された状態を示す断面図である。
【符号の説明】
【００５５】
１  押圧スイッチ
２  ＡＶ機器（電子機器）
３  機器本体
３ａ  前面
１５  押圧部材
１６  スイッチ
１８  中間部材
２９ａ，２９ｂ  接点
３２  筒部（弾性変形部）
３３  導電部（被押圧部）
３３ａ  導体膜（接触部）
３３ｂ  面
３４  弾性変形突起
３５  凹み
【図１】
2010092657.tif 000003
【図２】
2010092657.tif 000004
【図３】
2010092657.tif 000005